(57)【要約】      （修正有）【課題】拡声通話時の音声を保存するにあたり、エコーキャンセリング処理を実行せず高品質な音声を適用する。【解決手段】汎用ネットワーク４を経由して接続される第１のインターホン子機１ａ及び第１のインターホン親機２ａ間で通話を行うにあたって、子機マイク１２で生成される子機音声信号をチャンネル分配部１４で第１チャンネル、第２チャンネルのチャンネル毎の子機音声信号に分配し、エコーキャンセラ１５のエコーキャンセリング処理により子機スピーカ１３から子機マイクへのハウリングの原因となる音響成分が除去された第１チャンネルの子機音声信号は、第１のインターホン親機に送出して親機スピーカ２３から出力させる一方、エコーキャンセリング処理を実行せず高品質で片方向の音声が過剰に抑圧（除去）されていない録音用の第２チャンネルの子機音声信号は、汎用ネットワークに接続された録音装置３に送出して装置記憶部３０に保存する。【選択図】図１
2015076659.tif 000002
【特許請求の範囲】
【請求項１】
住戸外に設置され来訪者が住戸内の在室者を呼出して通話を行うインターホン子機と、前記住戸内に設置され前記来訪者からの呼出しに応答した前記在室者が通話を行うインターホン親機と、前記通話の音声を保存する録音装置とを有するインターホンシステムであって、
前記インターホン子機、前記インターホン親機及び前記録音装置は、ＬＡＮ等の汎用ネットワークを経由して相互に接続され、
前記インターホン子機は、前記来訪者の音声が入力され子機音声信号を生成する子機マイクと、前記インターホン親機から前記汎用ネットワークを経由して伝送されてくる親機音声信号をもとに前記在室者の音声を出力する子機スピーカと、前記子機マイクで生成された前記子機音声信号を第１チャンネル、第２チャンネルのチャンネル毎に分配するチャンネル分配部と、前記子機スピーカから前記子機マイクへのハウリングの原因となる音響成分を除去してエコーキャンセリング処理を行うエコーキャンセラと、前記通話時に前記音声信号の送受信を行う子機制御部とを備え、
前記エコーキャンセラは、前記チャンネル分配部で分配された前記第１チャンネルの子機音声信号をアナログ／デジタル変換するとともに前記親機音声信号をデジタル／アナログ変換して前記親機スピーカに送出するアナログ・デジタル変換回路と、前記アナログ・デジタル変換回路で前記アナログ／デジタル変換された前記第１チャンネルの子機音声信号について前記エコーキャンセリング処理を行い前記子機制御部に送出するキャンセラ処理回路とを有し、
前記子機制御部は、前記チャンネル分配部で分配された前記第２チャンネルの子機音声信号をアナログ／デジタル変換するアナログ／デジタル変換回路と、前記キャンセラ処理回路から出力された前記第１チャンネルの子機音声信号及び前記アナログ／デジタル変換回路で前記アナログ／デジタル変換された前記第２チャンネルの子機音声信号をそれぞれチャンネル毎で前記汎用ネットワークに送出する音声処理回路とを備え、
前記インターホン親機は、前記在室者の音声が入力され前記親機音声信号を生成する親機マイクと、前記インターホン子機から前記汎用ネットワークに送出される前記第１チャンネル、前記第２チャンネルの子機音声信号のうち前記第１チャンネルの子機音声信号をもとに前記来訪者の音声を出力する親機スピーカとを備え、
前記録音装置は、前記インターホン子機から前記汎用ネットワークに送出される前記第１チャンネル、前記第２チャンネルの子機音声信号のうち前記第２チャンネルの子機音声信号を保存する装置記憶部を備えることを特徴とするインターホンシステム。
【請求項２】
前記インターホン親機は、固有の親機ＩＤを有しており、
前記子機制御部の前記音声処理回路は、前記第１チャンネルの子機音声信号に前記親機ＩＤを付加して前記汎用ネットワークに送出する機能を備えることを特徴とする請求項１記載のインターホンシステム。
【請求項３】
前記録音装置は、固有の装置ＩＤを有しており、
前記子機制御部の前記音声処理回路は、前記第２チャンネルの子機音声信号に前記装置ＩＤを付加して前記汎用ネットワークに送出する機能を備えることを特徴とする請求項１記載のインターホンシステム。
【請求項４】
住戸外に設置され来訪者が住戸内の在室者を呼出して通話を行うインターホン子機と、前記住戸内に設置され前記来訪者からの呼出しに応答した前記在室者が通話を行うインターホン親機とを有するインターホンシステムであって、
前記インターホン子機及び前記インターホン親機間は、ＬＡＮ等の汎用ネットワークを経由して相互に接続され、
前記インターホン子機は、前記来訪者の音声が入力され子機音声信号を生成する子機マイクと、前記インターホン親機から前記汎用ネットワークを経由して伝送されてくる親機音声信号をもとに前記在室者の音声を出力する子機スピーカと、前記子機マイクで生成された前記子機音声信号を第１チャンネル、第２チャンネルのチャンネル毎に分配するチャンネル分配部と、前記子機スピーカから前記子機マイクへのハウリングの原因となる音響成分を除去してエコーキャンセリング処理を行うエコーキャンセラと、前記通話時に前記音声信号の送受信を行う子機制御部とを備え、
前記エコーキャンセラは、前記チャンネル分配部で分配された前記第１チャンネルの子機音声信号をアナログ／デジタル変換するとともに前記親機音声信号をデジタル／アナログ変換して前記親機スピーカに送出するアナログ・デジタル変換回路と、前記アナログ・デジタル変換回路で前記アナログ／デジタル変換された前記第１チャンネルの子機音声信号について前記エコーキャンセリング処理を行い前記子機制御部に送出するキャンセラ処理回路とを有し、
前記子機制御部は、前記チャンネル分配部で分配された前記第２チャンネルの子機音声信号をアナログ／デジタル変換するアナログ／デジタル変換回路と、前記キャンセラ処理回路から出力された前記第１チャンネルの子機音声信号及び前記アナログ／デジタル変換回路で前記アナログ／デジタル変換された前記第２チャンネルの子機音声信号を合成して前記汎用ネットワークに送出する音声処理回路とを備え、
前記インターホン親機は、前記在室者の音声が入力され前記親機音声信号を生成する親機マイクと、前記インターホン子機から前記汎用ネットワークを経由して伝送されてくる前記合成された子機音声信号を前記第１チャンネル、前記第２チャンネルのチャンネル毎の子機音声信号に分離するチャンネル分離部と、前記チャンネル分離部で分離された前記第１チャンネルの子機音声信号をもとに前記来訪者の音声を出力する親機スピーカと、前記チャンネル分離部で分離された前記第２チャンネルの子機音声信号を保存する親機記憶部とを備えることを特徴とするインターホンシステム。
【請求項５】
前記インターホン親機は、固有の親機ＩＤを有しており、
前記子機制御部の前記信号処理回路は、前記合成された子機音声信号に前記親機ＩＤを付加して前記汎用ネットワークに送出する機能を備えることを特徴とする請求項４記載のインターホンシステム。
【発明の詳細な説明】
【技術分野】
【０００１】
本発明は、ネットワーク対応型のインターホンシステムに係り、特に、エコーキャンセラの使用によりスピーカからマイクへの音響帰還に基づくハウリングの発生を防止するとともに、エコーキャンセラの作用に依存することなく高品質な音声での保存が可能なインターホンシステムに関する。
【背景技術】
【０００２】
従来から、ラインを介して接続された両端末間において、下り方向の音声信号である受信アナログ信号（受信信号）および上り方向の音声信号である送信アナログ信号（送信信号）をデジタル信号として送受信させることにより、当該信号に混入される音響帰還成分を抑圧（除去）することで、ハウリングが防止された双方向のハンズフリー通話（拡声通話）が可能となる拡声インターホン装置が開示されている（例えば、特許文献１を参照）。
【０００３】
また、前述のようなハウリングが防止された双方向のハンズフリー通話（拡声通話）を行うにあたって、例えば、玄関子機のエコーキャンセラで音響帰還成分が抑圧（除去）された音声を、居室親機の音声ＲＡＭに保存することができるインターホンシステムが開示されている（例えば、特許文献２を参照）。
【先行技術文献】
【特許文献】
【０００４】
【特許文献１】特開平１１−２７５２４３号公報
【特許文献２】特開２００７−２６６７０４号公報
【発明の概要】
【発明が解決しようとする課題】
【０００５】
しかしながら、背景技術に記載された特許文献２において、玄関子機からの音声を居室親機の音声ＲＡＭに保存するにあたっては、エコーキャンセラにおいて特に、片方向の音響帰還成分が過剰に抑圧（除去）された状態で保存されるため、保存された音声の品質が低下することで、双方向通話にもかかわらず片方向通話に聞こえる等、不自然となるおそれがあった。
【０００６】
本発明は、この難点を解消するためになされたもので、拡声通話時の音声を保存するにあたり、エコーキャンセリング処理を実行せず高品質な音声を適用するインターホンシステムを提供することを目的としている。
【課題を解決するための手段】
【０００７】
前述の目的を達成するため、本発明の第１の態様であるインターホンシステムは、住戸外に設置され来訪者が住戸内の在室者を呼出して通話を行うインターホン子機と、住戸内に設置され来訪者からの呼出しに応答した在室者が通話を行うインターホン親機と、通話の音声を保存する録音装置とを有する当該システムである。インターホン子機、インターホン親機及び録音装置は、ＬＡＮ等の汎用ネットワークを経由して相互に接続されている。インターホン子機は、来訪者の音声が入力され子機音声信号を生成する子機マイクと、インターホン親機から汎用ネットワークを経由して伝送されてくる親機音声信号をもとに在室者の音声を出力する子機スピーカと、子機マイクで生成された子機音声信号を第１チャンネル、第２チャンネルのチャンネル毎に分配するチャンネル分配部と、子機スピーカから子機マイクへのハウリングの原因となる音響成分を除去してエコーキャンセリング処理を行うエコーキャンセラと、通話時に音声信号の送受信を行う子機制御部とを備えている。エコーキャンセラは、チャンネル分配部で分配された第１チャンネルの子機音声信号をアナログ／デジタル変換するとともに親機音声信号をデジタル／アナログ変換して親機スピーカに送出するアナログ・デジタル変換回路と、アナログ・デジタル変換回路でアナログ／デジタル変換された第１チャンネルの子機音声信号についてエコーキャンセリング処理を行い子機制御部に送出するキャンセラ処理回路とを有している。子機制御部は、チャンネル分配部で分配された第２チャンネルの子機音声信号をアナログ／デジタル変換するアナログ／デジタル変換回路と、キャンセラ処理回路から出力された第１チャンネルの子機音声信号及びアナログ／デジタル変換回路でアナログ／デジタル変換された第２チャンネルの子機音声信号をそれぞれチャンネル毎で汎用ネットワークに送出する音声処理回路とを備えている。インターホン親機は、在室者の音声が入力され親機音声信号を生成する親機マイクと、インターホン子機から汎用ネットワークに送出される第１チャンネル、第２チャンネルの子機音声信号のうち第１チャンネルの子機音声信号をもとに来訪者の音声を出力する親機スピーカとを備えている。録音装置は、インターホン子機から汎用ネットワークに送出される第１チャンネル、第２チャンネルの子機音声信号のうち第２チャンネルの子機音声信号を保存する装置記憶部を備えている。
【０００８】
また、本発明の第２の態様であるインターホンシステムは、本発明の第１の態様において、インターホン親機は、固有の親機ＩＤを有している。子機制御部の音声処理回路は、第１チャンネルの子機音声信号に親機ＩＤを付加して汎用ネットワークに送出する機能を備えている。
【０００９】
また、本発明の第３の態様であるインターホンシステムは、本発明の第１の態様において、録音装置は、固有の装置ＩＤを有している。子機制御部の音声処理回路は、第２チャンネルの子機音声信号に装置ＩＤを付加して汎用ネットワークに送出する機能を備えている。
【００１０】
これら第１乃至第３の態様のインターホンシステムによれば、汎用ネットワークを経由して接続されるインターホン子機及びインターホン親機間で音声信号を送受信して通話を行うにあたって、子機マイクで生成される子機音声信号を第１チャンネル、第２チャンネルのチャンネル毎の子機音声信号に分配し、エコーキャンセリング処理により子機スピーカから子機マイクへのハウリングの原因となる音響成分が除去された第１チャンネルの子機音声信号は、インターホン親機に送出して親機スピーカから出力させることができる一方、エコーキャンセリング処理を実行せず高品質で片方向の音声が過剰に抑圧（除去）されていない録音用の第２チャンネルの子機音声信号は、汎用ネットワークに接続された録音装置に送出して（デジタル音声で）保存することができる。
【００１１】
また、本発明の第４の態様であるインターホンシステムは、住戸外に設置され来訪者が住戸内の在室者を呼出して通話を行うインターホン子機と、住戸内に設置され来訪者からの呼出しに応答した在室者が通話を行うインターホン親機とを有する当該システムである。インターホン子機及びインターホン親機間は、ＬＡＮ等の汎用ネットワークを経由して相互に接続されている。インターホン子機は、来訪者の音声が入力され子機音声信号を生成する子機マイクと、インターホン親機から汎用ネットワークを経由して伝送されてくる親機音声信号をもとに在室者の音声を出力する子機スピーカと、子機マイクで生成された子機音声信号を第１チャンネル、第２チャンネルのチャンネル毎に分配するチャンネル分配部と、子機スピーカから子機マイクへのハウリングの原因となる音響成分を除去してエコーキャンセリング処理を行うエコーキャンセラと、通話時に音声信号の送受信を行う子機制御部とを備えている。エコーキャンセラは、チャンネル分配部で分配された第１チャンネルの子機音声信号をアナログ／デジタル変換するとともに親機音声信号をデジタル／アナログ変換して親機スピーカに送出するアナログ・デジタル変換回路と、アナログ・デジタル変換回路でアナログ／デジタル変換された第１チャンネルの子機音声信号についてエコーキャンセリング処理を行い子機制御部に送出するキャンセラ処理回路とを有している。子機制御部は、チャンネル分配部で分配された第２チャンネルの子機音声信号をアナログ／デジタル変換するアナログ／デジタル変換回路と、キャンセラ処理回路から出力された第１チャンネルの子機音声信号及びアナログ／デジタル変換回路でアナログ／デジタル変換された第２チャンネルの子機音声信号を合成して汎用ネットワークに送出する音声処理回路とを備えている。インターホン親機は、在室者の音声が入力され親機音声信号を生成する親機マイクと、インターホン子機から汎用ネットワークを経由して伝送されてくる合成された子機音声信号を第１チャンネル、第２チャンネルのチャンネル毎の子機音声信号に分離するチャンネル分離部と、チャンネル分離部で分離された第１チャンネルの子機音声信号をもとに来訪者の音声を出力する親機スピーカと、チャンネル分離部で分離された第２チャンネルの子機音声信号を保存する親機記憶部とを備えている。
【００１２】
また、本発明の第５の態様であるインターホンシステムは、本発明の第４の態様において、インターホン親機は、固有の親機ＩＤを有している。子機制御部の信号処理回路は、合成された子機音声信号に親機ＩＤを付加して汎用ネットワークに送出する機能を備えている。
【００１３】
これら第４、第５の態様のインターホンシステムによれば、汎用ネットワークを経由して接続されるインターホン子機及びインターホン親機間で音声信号を送受信して通話を行うにあたって、子機マイクで生成される子機音声信号を第１チャンネル、第２チャンネルのチャンネル毎の子機音声信号に分配し、エコーキャンセリング処理により子機スピーカから子機マイクへのハウリングの原因となる音響成分が除去された第１チャンネルの子機音声信号とエコーキャンセリング処理を実行せず録音用で高品質な第２チャンネルの子機音声信号とを合成してインターホン親機に送出することができる。また、インターホン親機によれば、合成された子機音声信号をチャンネル毎に分離し、エコーキャンセリング処理が実行された第１チャンネルの子機音声信号を親機スピーカから出力させることができる一方、エコーキャンセリング処理を実行せず高品質で片方向の音声が過剰に抑圧（除去）されていない録音用の第２チャンネルの子機音声信号を（デジタル音声で）保存することができる。
【発明の効果】
【００１４】
本発明のインターホンシステムによれば、汎用ネットワークを経由して接続されるインターホン子機及びインターホン親機間で音声信号を送受信して通話を行うにあたって、子機マイクで生成される子機音声信号を第１チャンネル、第２チャンネルのチャンネル毎の子機音声信号に分配し、第１チャンネルの子機音声信号についてエコーキャンセリング処理を行い子機スピーカから子機マイクへのハウリングの原因となる音響成分を除去して当該ハウリングの発生を防止することで、このようなエコーキャンセリング処理が実行された第１チャンネルの子機音声信号を親機スピーカから出力させることができる一方、第２チャンネルの子機音声信号についてはエコーキャンセリング処理を実行せず録音用で高品質なまま、汎用ネットワークに接続された録音装置又はインターホン親機に（デジタル音声で）保存することができる。
【００１５】
したがって、拡声通話時においてインターホン親機の親機スピーカから出力する音声は、インターホン子機のエコーキャンセラにおいてエコーキャンセリング処理が実行された音声を適用することができるばかりでなく、拡声通話時の音声を保存するにあたっては、エコーキャンセリング処理を実行せず高品質で片方向の音声が過剰に抑圧（除去）されていない当該音声を適用することができる。
【図面の簡単な説明】
【００１６】
【図１】図１は、本発明の第１の実施例によるインターホンシステムの全体構成を示すブロック図。
【図２】図２は、本発明の第２の実施例によるインターホンシステムの全体構成を示すブロック図。
【図３】図３（Ａ）は、本発明の第１、第２の実施例によるインターホンシステムにおいてインターホン子機（第１、第２のインターホン子機）のエコーキャンセラの具体的な構成を示すブロック図。図３（Ｂ）は、同実施例においてインターホン子機（第１、第２のインターホン子機）の子機制御部（第１、第２の子機制御部）の具体的な構成を示すブロック図。
【図４】図４（Ａ）は、本発明の第１の実施例によるインターホンシステムにおいてインターホン親機（第１のインターホン親機）の親機制御部（第１の親機制御部）の具体的な構成を示すブロック図。図４（Ｂ）は、本発明の第２の実施例によるインターホンシステムにおいてインターホン親機（第２のインターホン親機）の親機制御部（第２の親機制御部）の具体的な構成を示すブロック図。
【発明を実施するための形態】
【００１７】
以下、本発明のインターホンシステムを適用した実施の形態例について、図面を参照して説明する。
「第１の実施例」
図１は、本発明の第１の実施例によるインターホンシステムの具体的な構成を示すブロック図である。このインターホンシステムは、住戸外、例えば、住戸玄関の周囲近傍に設置され来訪者が住戸内の在室者を呼出して通話を行うインターホン子機（以下、第１のインターホン子機という）１ａと、住戸内に設置され来訪者からの呼出しに応答した在室者が通話を行うインターホン親機（以下、第１のインターホン親機という）２ａと、前述のような第１のインターホン子機１ａ及び第１のインターホン親機２ａ間で行われる通話（通話時）の音声を保存する録音装置３と、第１のインターホン子機１、第１のインターホン親機２ａ及び録音装置３を相互に接続するＬＡＮ（、ＷＡＮ）等の汎用ネットワーク４とを有している。
【００１８】
なお、同図において、第１のインターホン子機１ａ及び汎用ネットワーク４間、第１のインターホン親機２ａ及び汎用ネットワーク４間、録音装置３及び汎用ネットワーク４間はそれぞれ、図示のような有線による接続の態様に限定されるものではなく、不図示の無線による接続の態様も好適とされる。
【００１９】
次に、同図に示す第１のインターホン子機１ａは、自子機に割当てられた固有の識別符号としての例えば、ＩＰアドレスである子機ＩＤを有しており、子機操作部１０、撮像部１１、子機マイク１２、子機スピーカ１３、チャンネル分配部１４、エコーキャンセラ１５、子機制御部（以下、第１の子機制御部という）１６ａ及び子機Ｉ／Ｆ（インターフェース、以下、第１の子機Ｉ／Ｆという）１７ａが備えられている。
【００２０】
この第１のインターホン子機１ａにおいて、子機操作部１０は、来訪者が在室者を呼出すための呼出操作を行うものであって、例えば、呼出（押圧）ボタンで構成されている。また、撮像部１１は、来訪者の映像や住戸玄関の周囲近傍の映像（監視映像を含む）を撮像し、所定の信号処理により例えば、ユニキャストでＲＴＳＰを用いた映像信号を生成するものであって、例えば、ＣＣＤ、ＣＭＯＳ等の各種の映像撮像媒体で構成されている。さらに、子機マイク１２及び子機スピーカ１３は、来訪者が在室者との間で通話を行うための音声（送話音声、受話音声）を入出力するものである。なお、撮像部１１によれば、不図示の人体感知センサ等が有する人体感知機能に連動させて、第１のインターホン子機１ａの周囲近傍に人体の存在が感知されたときに、その動作を能動として映像信号を生成することもできる。
【００２１】
チャンネル分配部１４は、来訪者の音声（送話音声）であって子機マイク１２で生成される子機音声信号を第１チャンネル、第２チャンネルのチャンネル毎に分配するものである。ここで、第１チャンネルは、例えば、ステレオ信号の右チャンネルに、第２チャンネルは、例えば、ステレオ信号の左チャンネルのように、チャンネル毎で均等に割当てることができる。
【００２２】
エコーキャンセラ１５は、前述のような通話時において、子機スピーカ１３から子機マイク１２へのハウリングの原因となる音響成分を除去してエコーキャンセリング処理を行うものであって、図３（Ａ）のブロック図に示すように、アナログ・デジタル変換回路１５０及びキャンセラ処理回路１５１を有している。ここで、アナログ・デジタル変換回路１５０は、チャンネル分配部１４で分配された第１チャンネルの子機音声信号をアナログ／デジタル（Ａ／Ｄ）変換してキャンセラ処理回路１５１に送出するとともに、第１のインターホン親機２ａから汎用ネットワーク４を経由して伝送されてくる親機音声信号をデジタル／アナログ（Ｄ／Ａ）変換して子機スピーカ１３に送出するものである。また、キャンセラ処理回路１５１は、アナログ・デジタル変換回路１５０でアナログ／デジタル変換された第１チャンネルの子機音声信号と親機音声信号についハウリングの原因となる音響成分を抑圧（除去）するエコーキャンセリング処理を行い、同処理がなされた第１チャンネルの子機音声信号を第１の子機制御部１６ａに送出するものである。
【００２３】
第１の子機制御部１６ａは、前述のような第１のインターホン子機１ａの構成各部を制御するにあたって、例えば、子機操作部１０の使用による来訪者からの呼出しの検出、在室者による応答操作又は終話操作の検出、撮像部１１で生成された映像信号の信号処理及び通話時に送受信される音声信号（第１、第２の子機音声信号及び親機音声信号）の信号処理を行う各種機能を備えており、図３（Ｂ）のブロック図に示すように、子機呼出検出回路１６０、子機応答／終話検出回路１６１、子機映像処理回路１６２、アナログ／デジタル変換回路１６３及び音声処理回路１６４ａを有している。
【００２４】
ここで、子機呼出検出回路１６０は、子機操作部１０の使用による来訪者からの呼出しを検出して呼出信号を生成するものである。また、子機応答／終話検出回路１６１は、第１のインターホン親機２ａから汎用ネットワーク４を経由して伝送されてくる応答信号又は終話信号をもとに来訪者による応答操作又は終話操作の検出を行うものである。また、子機映像処理回路１６２は、撮像部１１で生成された映像信号の信号処理、例えば、エンコード処理や信号増幅等を行うものである。また、アナログ／デジタル変換回路１６３は、チャンネル分配部１４で分配された第２チャンネルの子機音声信号をアナログ／デジタル変換するものである。さらに、音声処理回路１６４ａは、第１のインターホン親機２ａから汎用ネットワーク４を経由してデジタル信号で伝送されてくる親機音声信号をその信号形態のままエコーキャンセラ１５（のキャンセラ処理回路１５１）に送出するとともに、キャンセラ処理回路１５１から送出された第１チャンネルの子機音声信号及びアナログ／デジタル変換回路１６３でアナログ／デジタル変換された第２チャンネルの子機音声信号をそれぞれチャンネル毎で汎用ネットワーク４に送出するものである。
【００２５】
第１の子機Ｉ／Ｆ１７ａは、第１の子機制御部１６ａ及び汎用ネットワーク４間の信号伝送路を形成し、形成された信号伝送路を経由して各種信号の送受信を行うものである。
【００２６】
次に、図１に示す第１のインターホン親機２ａは、自親機に割当てられた固有の識別符号としての例えば、ＩＰアドレスである親機ＩＤを有しており、親機操作部２０、表示部２１、親機マイク２２、親機スピーカ２３、親機制御部（以下、第１の親機制御部という）２４ａ及び親機Ｉ／Ｆ（以下、第１の親機Ｉ／Ｆという）２５ａが備えられている。
【００２７】
この第１のインターホン親機２ａにおいて、親機操作部２０は、第１のインターホン子機１ａから汎用ネットワーク４を経由して伝送されてくる呼出信号をもとに報知される来訪者からの呼出しに在室者が応答して親機マイク２２及び親機スピーカ２３の使用による通話を開始させる応答操作やその通話を終了させる終話操作が行われるものであって、例えば、通話（押圧）ボタンや表示部２１の前面に配置されるタッチパネル等で構成されている。
【００２８】
表示部２１は、第１のインターホン子機１ａから汎用ネットワーク４を経由して伝送されてくる映像信号もとに撮像部１１で撮像された映像を表示するものであって、例えば、ＬＣＤ、有機ＥＬディスプレイ等の各種の表示媒体で構成されている。なお、表示部２１は、前述のような映像表示のみならず、映像信号とともに第１のインターホン子機１ａから汎用ネットワーク４を経由して伝送されてくる呼出信号をもとに来訪者からの呼出しがあることを示す例えば、文字メッセージや絵データ等を表示することもできる。
【００２９】
親機マイク２２及び親機スピーカ２３は、在室者が来訪者との間で通話を行うための音声（送話音声、受話音声）を入出力するにあたって、この親機スピーカ２４は、第１のインターホン子機１ａから汎用ネットワーク４にチャンネル毎で送出される第１チャンネル、第２チャンネルの子機音声信号のうち、エコーキャンセリング処理がなされた第１チャンネルの子機音声信号を出力することができるばかりでなく、来訪者からの呼出しがあることを示す例えば、呼出音や音声メッセージ等を出力することもできる。
【００３０】
第１の親機制御部２４ａは、前述のような第１のインターホン親機２ａの構成各部を制御するにあたって、例えば、親機操作部２０の使用による在室者の応答操作又は終話操作の検出、第１のインターホン子機１ａの子機操作部１０の使用による来訪者からの呼出しを検出してその報知を行う制御、撮像部１１で生成された映像信号の信号処理及び通話時に送受信される音声信号（親機音声信号及び第１の子機音声信号）の信号処理等を行う各種機能を備えており、図４（Ａ）のブロック図に示すように、親機操作検出回路２４０、親機呼出検出回路２４１、親機映像処理回路２４２及びアナログ・デジタル変換回路２４３ａを有している。
【００３１】
ここで、親機操作検出回路２４０は、親機操作部２０の使用による在室者の応答操作又は終話操作を検出して応答信号又は終話信号を生成するものである。また、親機呼出検出回路２４１は、第１のインターホン子機１ａから汎用ネットワーク４を経由して伝送されてくる呼出信号をもとに来訪者からの呼出しを検出するものである。また、親機映像処理回路２４２は、第１のインターホン子機１ａから汎用ネットワーク４を経由して伝送されてくる映像信号を信号処理、例えば、デコード処理や信号増幅等を行うものである。さらに、アナログ・デジタル変換回路２４３ａは、親機マイク２２で生成された親機音声信号をアナログ／デジタル変換して第１の親機Ｉ／Ｆ２５ａから汎用ネットワーク４に送出するとともに、第１のインターホン子機１ａから汎用ネットワーク４にチャンネル毎で送出される第１チャンネル、第２チャンネルの子機音声信号のうち第１チャンネルの子機音声信号をデジタル／アナログ変換して親機スピーカ２３に送出するものである。
【００３２】
第１の親機Ｉ／Ｆ２５ａは、第１の親機制御部２４ａ及び汎用ネットワーク４間の信号伝送路を形成し、形成された信号伝送路を経由して各種信号の送受信を行うものである。
【００３３】
次に、図１に示す録音装置３は、自装置に割当てられた固有の識別符号としての例えば、ＩＰアドレスである装置ＩＤを有しており、装置記憶部３０、装置制御部３１及び装置Ｉ／Ｆ３２が備えられている。
【００３４】
この録音装置３において、装置記憶部３０は、第１のインターホン子機１ａから汎用ネットワーク４にチャンネル毎で送出される第１チャンネル、第２チャンネルの子機音声信号のうち第２チャンネルの子機音声信号をデジタル信号のまま保存するものであって、例えば、ＲＡＭ、ＥＥＰＲＯＭ等の各種の記憶媒体で構成されている。
【００３５】
装置制御部３１は、前述のような録音装置３の構成各部を制御するにあたって、例えば、装置記憶部３１への書込み・保存又は読出し制御を行う機能を備えている。また、装置Ｉ／Ｆ３２は、装置制御部３１及び汎用ネットワーク４間の信号伝送路を形成し、形成された信号伝送路を経由して各種信号の送受信を行うものである。
【００３６】
このように構成された本発明の第１の実施例によるインターホンシステムにおいて、以下、具体的な動作について説明する。
【００３７】
住戸内の在室者を呼出すにあたり、住戸外（住戸玄関）に居る来訪者が図１に示す第１のインターホン子機１ａの子機操作部１０を使用して呼出操作を行うと、この操作を検出した図３（Ｂ）に示す第１の子機制御部１６ａの子機呼出検出回路１６０は、例えば、ＳＩＰ対応の信号フォーマットにより自子機の子機ＩＤ及び第１のインターホン親機２ａを指定する親機ＩＤを付加した呼出信号を生成する。また、子機呼出検出回路１６０で生成された呼出信号は、第１の子機Ｉ／Ｆ１７ａから汎用ネットワーク４を経由して第１のインターホン親機２ａの第１の親機Ｉ／Ｆ２５ａと、同様に第１の子機Ｉ／Ｆ１７ａから汎用ネットワーク４を経由して録音装置３の装置Ｉ／Ｆ３２とにそれぞれ伝送される。
【００３８】
また、第１のインターホン子機１ａにおいて、第１の子機制御部１６ａによれば、前述のような子機呼出検出回路１６０による呼出検出が行われると、撮像部１１を能動とする。この制御により、撮像部１１で生成された来訪者の映像信号が、図３（Ｂ）に示す子機映像処理回路１６２で例えば、エンコーダ処理や信号増幅等がなされた後、ＳＩＰ対応の信号フォーマットにより自子機の子機ＩＤ、第１のインターホン親機２ａを指定する親機ＩＤ及び録音装置３を指定する装置ＩＤを付加した当該信号で、第１の子機Ｉ／Ｆ１７ａから汎用ネットワーク４を経由して第１のインターホン親機２ａの第１の親機Ｉ／Ｆ２５ａと、同様に第１の子機Ｉ／Ｆ１７ａから汎用ネットワーク４を経由して録音装置３の装置Ｉ／Ｆ３２とにそれぞれ伝送される。
【００３９】
ここで、録音装置３の装置制御部３１によれば、装置Ｉ／Ｆ３２を経由して受信した呼出信号及び映像信号にそれぞれ付加されている（信号伝送先の）親機ＩＤが自装置の装置ＩＤと一致しないため、通常、受信した呼出信号が無効な信号であると判断する一方、受信した映像信号に付加されている装置ＩＤが自装置の装置ＩＤと一致するため、この映像信号について装置記憶部３０への保存を開始する。
【００４０】
一方、第１のインターホン親機２ａにおいて、図４（Ａ）に示す第１の親機制御部２４ａの親機呼出検出回路２４１は、第１の親機Ｉ／Ｆ２５ａを経由して受信した呼出信号に付加されている（信号伝送先の）親機ＩＤが自親機の親機ＩＤと一致するため、同様に付加されている子機ＩＤに該当する第１のインターホン子機１ａで呼出操作を行った来訪者からの呼出しを検出し、その旨の呼出音や音声メッセージ等を親機スピーカ２３から出力させて呼出報知を行うことができるばかりでなく、表示部２１を能動とする。この制御により、第１の親機制御部２４ａの親機映像処理回路２４２は、第１の親機Ｉ／Ｆ２５ａを経由して受信した映像信号を例えば、デコード処理や信号増幅等して表示部２１に送出することで、来訪者の映像を表示部２１に表示させることができるばかりでなく、この表示部２１には、来訪者からの呼出しがあることを示す文字メッセージや絵データ等を表示（呼出表示）させることもできる。
【００４１】
この後、前述の呼出報知（呼出表示）及び映像表示を確認した在室者が、第１のインターホン親機２ａの親機操作部２０を使用して応答操作を行い、この操作を図４（Ａ）に示す第１の親機制御部２４ａの親機操作検出回路２４０が検出すると、親機マイク２２及び親機スピーカ２３とアナログ・デジタル変換回路２４３ａを経由して第１の親機Ｉ／Ｆ２５ａとの間の信号伝送路が形成されるとともに、例えば、ＳＩＰ対応の信号フォーマットにより自親機の親機ＩＤ及び第１のインターホン子機１ａを指定する子機ＩＤを付加した応答信号が生成される。また、親機操作検出回路２４０で生成された応答信号は、前述の呼出信号と逆の信号伝送路を経由して第１のインターホン子機１ａの第１の子機Ｉ／Ｆ１７ａに伝送されるとともに、第１の親機Ｉ／Ｆ２５ａから汎用ネットワーク４を経由して録音装置３の装置Ｉ／Ｆ３２に伝送される。
【００４２】
ここで、録音装置３の装置制御部３１によれば、装置Ｉ／Ｆ３２を経由して受信した応答信号に付加されている（信号伝送先の）子機ＩＤが自装置の装置ＩＤと一致しないため、通常、受信した応答信号が無効な信号であると判断する。
【００４３】
一方、第１のインターホン子機１ａにおいて、図３（Ｂ）に示す第１の子機制御部１６ａの子機応答／終話検出回路１６１によれば、第１の子機Ｉ／Ｆ１７ａを経由して受信した応答信号に付加されている（信号伝送先の）子機ＩＤが自子機の子機ＩＤと一致するため、同様に付加されている親機ＩＤに該当する第１のインターホン親機２ａで応答操作を行った在室者による応答操作があったことを検出し、チャンネル分配部１４及びエコーキャンセラ１５をそれぞれ能動にするとともに、このチャンネル分配部１４からアナログ／デジタル変換回路１６３を経由して音声信号処理回路１６４ａまでの信号伝送路と、エコーキャンセラ１５と音声信号処理回路１６４ａを経由して第１の親機Ｉ／Ｆ２５ａとの間の信号伝送路をそれぞれ形成する。
【００４４】
次に、具体的な通話動作を説明するにあたり、在室者の音声（送話音声）であって第１のインターホン親機２ａの親機マイク２２で生成された親機音声信号は、図４（Ａ）に示す第１の親機制御部２４ａのアナログ・デジタル変換回路２４３ａでアナログ／デジタル変換された後、例えば、ＳＩＰ対応の信号フォーマットにより自親機の親機ＩＤ及び第１のインターホン子機１ａを指定する子機ＩＤを付加した当該信号で、前述の応答信号と同一の信号伝送路を経由して第１のインターホン子機１ａの第１の子機Ｉ／Ｆ１７ａと録音装置３の装置Ｉ／Ｆ３２とにそれぞれ伝送される。
【００４５】
ここで、録音装置３の装置制御部３１によれば、装置Ｉ／Ｆ３２を経由して受信した親機音声信号に付加されている（信号伝送先の）子機ＩＤが自装置の装置ＩＤと一致しないため、通常、受信した親機音声信号が無効な信号であると判断する。
【００４６】
一方、第１のインターホン子機１ｂにおいて、図３（Ｂ）に示す第１の子機制御部１６ａによれば、第１の子機Ｉ／Ｆ１７ａを経由して受信した親機音声信号に付加されている子機ＩＤが自子機の子機ＩＤと一致するため、この親機音声信号は、音声信号処理回路１６４ａを経由してデジタル信号の信号形態のまま、図３（Ａ）に示すエコーキャンセラ１５のキャンセラ処理回路１５１に送出される。なお、在室者による応答操作がなされ、例えば、通話が開始された直後のタイミングにおいては、通常、キャンセラ処理回路１５１で何らのエコーキャンセリング処理が行われることなく、この親機音声信号は、アナログ・デジタル変換回路１５０でデジタル／アナログ変換された後、子機スピーカ１３に送出されるため、在室者による音声（送話音声）が受話音声として子機スピーカ１３から出力される。
【００４７】
この後、来訪者の音声（送話音声）であって第１のインターホン子機１ａの子機マイク１２で生成された子機音声信号には、前述のように子機スピーカ１３から出力された受話音声が音響帰還成分として重畳されており、チャンネル分配部１４は、このような音響帰還成分が重畳された子機音声信号をチャンネル毎で均等の第１チャンネル、第２チャンネルの子機音声信号に分配し、第１チャンネルの子機音声信号については、図３（Ａ）に示すエコーキャンセラ１５のアナログ・デジタル変換回路１５０に送出する一方、第２チャンネルの子機音声信号については、図３（Ｂ）に示す第１の子機制御部１６ａのアナログ／デジタル変換回路１６３に送出する。
【００４８】
第１のインターホン子機１ａにおいて、図３（Ａ）に示すエコーキャンセラ１５のアナログ・デジタル変換回路１５０は、チャンネル分配部１４で分配された第１チャンネルの子機音声信号をアナログ・デジタル変換してキャンセラ処理回路１５１に送出する。また、キャンセラ処理回路１５１は、アナログ・デジタル変換回路１５０でアナログ・デジタル変換された第１チャンネルの子機音声信号に重畳されている音響帰還成分である親機音声信号についてのエコーキャンセリング処理を行い、子機スピーカ１３から子機マイク１２へのハウリングの原因となる音響成分が除去された第１チャンネルの子機音声信号を、図３（Ｂ）に示す第１の子機制御部１６ａの音声処理回路１６４ａに送出する。また、アナログ／デジタル変換回路１６３は、チャンネル分配部１４で分配された第２チャンネルの子機音声信号をアナログ・デジタル変換して音声処理回路１６４ａに送出する。さらに、音声処理回路１６４ａは、受信した第１チャンネル、第２チャンネルの子機音声信号のうち、第１チャンネルの子機音声信号については、例えば、ＳＩＰ対応の信号フォーマットにより自子機の子機ＩＤ及び第１のインターホン親機２ａを指定する親機ＩＤを付加した当該信号で、第２チャンネルの子機音声信号については、例えば、ＳＩＰ対応の信号フォーマットにより自子機の子機ＩＤ及び録音装置３を指定する装置ＩＤを付加した当該信号で、第１の子機Ｉ／Ｆ１７ａから汎用ネットワーク４を経由して第１のインターホン親機２ａの第１の親機Ｉ／Ｆ２５ａと、同様に第１の子機Ｉ／Ｆ１７ａから汎用ネットワーク４を経由して録音装置３の装置Ｉ／Ｆ３２とにそれぞれ送出する。
【００４９】
第１のインターホン親機２ａにおいて、図４（Ａ）に示す第１の親機制御部２４ａによれば、第１の親機Ｉ／Ｆ２５ａを経由して受信した第１チャンネル、第２チャンネルの子機音声信号のうち、第１チャンネルの子機音声信号についてのみ同信号に付加されている（信号伝送先の）親機ＩＤが自親機の親機ＩＤと一致するため、この第１チャンネルの子機音声信号は、アナログ・デジタル変換回路２４３ａでデジタル／アナログ変換された後、親機スピーカ２３に送出されるため、在室者による音声（送話音声）が、第１のインターホン子機１ａにおける子機スピーカ１３から子機マイク１２へのハウリングの原因となる音響成分が除去された受話音声として親機スピーカ２３から出力される。
【００５０】
一方、録音装置３の装置制御部３２によれば、装置Ｉ／Ｆ３１を経由して受信した第１チャンネル、第２チャンネルの子機音声信号のうち、第２チャンネルの子機音声信号についてのみ同信号に付加されている（信号伝送先の）装置ＩＤが自装置の装置ＩＤと一致するため、この第２チャンネルの子機音声信号を装置記憶部３０に保存することができるため、録音用の子機音声信号として高品質なデジタル信号のままの保存が可能となる。また、装置記憶部３０に保存された第２チャンネルの子機音声信号は、装置制御部３１の制御によって読出され、必要に応じて第１のインターホン親機２ａの親機スピーカ２３や別途の通信機器、例えば、汎用ネットワーク４に接続可能な携帯通信端末のスピーカから出力させることもできる。
【００５１】
なお、第１の実施例において、第１のインターホン子機１ａから汎用ネットワーク４を経由して第１のインターホン親機２ａへの映像信号の伝送は、呼出時のみならず通話時にも継続されている。したがって、親機スピーカ２３からの第１チャンネルの子機音声信号の出力を確認する通話時の在室者によれば、表示部２１における映像表示も併せて確認でき、この映像信号については、録音装置３の装置記憶部３０に第２チャンネルの子機音声信号とともに保存することもできる。また、録音装置３の装置制御部３１によれば、呼出時から継続して、前述のような装置記憶部３０への第２チャンネルの子機音声信号及び映像信号の保存を行うことができ、この場合、第１のインターホン子機１ａの第１の子機制御部１６ａは、映像信号の送信と同一なタイミングで第２チャンネルの子機音声信号の送信が可能となる。
【００５２】
以上の説明から明らかなように、本発明の第１の実施例によれば、汎用ネットワーク４を経由して接続される第１のインターホン子機１ａ及び第１のインターホン親機２ａ間で音声信号を送受信して通話を行うにあたって、子機マイク１２で生成される子機音声信号をチャンネル分配部１４で第１チャンネル、第２チャンネルのチャンネル毎の子機音声信号に分配し、エコーキャンセラ１５のエコーキャンセリング処理により子機スピーカ１３から子機マイク１２へのハウリングの原因となる音響成分が除去された第１チャンネルの子機音声信号は、第１のインターホン親機２ａに送出して親機スピーカ２３から出力させることができる一方、エコーキャンセリング処理を実行せず高品質で片方向の音声が過剰に抑圧（除去）されていない録音用の第２チャンネルの子機音声信号は、汎用ネットワーク４に接続された録音装置３に送出して（デジタル音声で）装置記憶部３０に保存することができる。
【００５３】
したがって、拡声通話時において第１のインターホン親機２ａの親機スピーカ２３から出力する音声は、第１のインターホン子機１ａのエコーキャンセラ１５においてエコーキャンセリング処理が実行された音声を適用することができるばかりでなく、拡声通話時の音声を録音装置３（の装置記憶部３０）に保存するにあたっては、エコーキャンセリング処理を実行せず高品質な音声を適用することができる。
「第２の実施例」
次に、本発明の第２の実施例によるインターホンシステムについて、図２のブロック図等を参照して説明する。なお、第２の実施例において、前述の第１の実施例で適用した構成と同一の作用を有する構成部については、同一の符号を付加してその説明は省略するものとする。
【００５４】
図２に示すインターホンシステムは、住戸外、例えば、住戸玄関の周囲近傍に設置され来訪者が住戸内の在室者を呼出して通話を行うインターホン子機（以下、第２のインターホン子機という）１ｂと、住戸内に設置され来訪者からの呼出しに応答した在室者が通話を行うインターホン親機（以下、第２のインターホン親機という）２ｂと、第２のインターホン子機１ｂ及び第２のインターホン親機２ｂを相互に接続するＬＡＮ（、ＷＡＮ）等の汎用ネットワーク４とを有している。
【００５５】
なお、同図において、第２のインターホン子機１ｂ及び汎用ネットワーク４間、第２のインターホン親機２ｂ及び汎用ネットワーク４間はそれぞれ、図示のような有線による接続の態様に限定されるものではなく、不図示の無線による接続の態様も好適とされる。
【００５６】
次に、同図に示す第２のインターホン子機１ｂは、自子機に割当てられた固有の識別符号としての例えば、ＩＰアドレスである子機ＩＤを有しており、子機操作部１０、撮像部１１、子機マイク１２、子機スピーカ１３、チャンネル分配部１４、エコーキャンセラ１５、子機制御部（以下、第２の子機制御部という）１６ｂ及び子機インターフェース（以下、第２の子機Ｉ／Ｆという）１７ｂが備えられている。
【００５７】
この第２のインターホン子機１ｂにおいて、第２の子機制御部１６ｂは、当該第２のインターホン子機の構成各部を制御するにあたって、例えば、子機操作部１０の使用による来訪者からの呼出しの検出、在室者による応答操作又は終話操作の検出、撮像部１１で生成された映像信号の信号処理及び通話時に送受信される音声信号（第１、第２の子機音声信号及び親機音声信号）の信号処理を行う各種機能を備えており、図３（Ｂ）のブロック図に示すように、子機呼出検出回路１６０、子機応答／終話検出回路１６１、子機映像処理回路１６２、アナログ／デジタル変換回路１６３及び音声処理回路１６４ｂを有している。
【００５８】
ここで、音声処理回路１６４ｂは、第２のインターホン親機２ｂから汎用ネットワーク４を経由してデジタル信号で伝送されてくる親機音声信号をその信号形態のままエコーキャンセラ１５（の図３（Ａ）に示すキャンセラ処理回路１５１）に送出するとともに、キャンセラ処理回路１５１から送出された第１チャンネルの子機音声信号及びアナログ／デジタル変換回路１６３でアナログ／デジタル変換された第２チャンネルの子機音声信号を合成して汎用ネットワーク４に送出するものである。
【００５９】
第２の子機Ｉ／Ｆ１７ｂは、第２の子機制御部１６ｂ及び汎用ネットワーク４間の信号伝送路を形成し、形成された信号伝送路を経由して各種信号の送受信を行うものである。
【００６０】
次に、図２に示す第２のインターホン親機２ｂは、自親機に割当てられた固有の識別符号としての例えば、ＩＰアドレスである親機ＩＤを有しており、親機操作部２０、表示部２１、親機マイク２２、親機スピーカ２３、親機制御部（以下、第２の親機制御部という）２４ｂ、親機Ｉ／Ｆ（以下、第２の親機Ｉ／Ｆという）２５ｂ、チャンネル分離部２６及び親機記憶部２７が備えられている。
【００６１】
この第２のインターホン親機２ｂにおいて、第２の親機制御部２４ｂは、当該第２のインターホン親機の構成各部を制御するものであって、例えば、親機操作部２０の使用による在室者の応答操作又は終話操作の検出、第２のインターホン子機１ｂの子機操作部１０の使用による来訪者からの呼出しを検出してその報知を行う制御、撮像部１１で生成された映像信号の信号処理及び通話時に送受信される音声信号（親機音声信号及び合成された子機音声信号）の信号処理等を行う各種機能を備えており、図４（Ｂ）のブロック図に示すように、親機操作検出回路２４０、親機呼出検出回路２４１、親機映像処理回路２４２及びアナログ／デジタル変換回路２４３ｂを有している。
【００６２】
ここで、アナログ／デジタル変換回路２４３ｂは、親機マイク２２で生成された親機音声信号をアナログ／デジタル変換して第２の親機Ｉ／Ｆ２５ｂから汎用ネットワーク４に送出する一方、第２のインターホン子機１ｂから汎用ネットワーク４を経由して伝送されてくる合成された子機音声信号については、そのデジタル信号の信号形態のままチャネル分離部２６に送出するものである。
【００６３】
第２の親機Ｉ／Ｆ２５ｂは、第２の親機制御部２４ｂ及び汎用ネットワーク４間の信号伝送路を形成し、形成された信号伝送路を経由して各種信号の送受信を行うものである。また、チャンネル分離部２６は、第２のインターホン子機１ｂから汎用ネットワーク４を経由して伝送されてくる合成された子機音声信号を第１チャンネル、第２チャンネルの子機音声信号にチャンネル毎で分離し、分離した第１チャンネルの子機音声信号をアナログ／デジタル変換して親機スピーカ２２に、第２チャンネルの子機音声信号はデジタル信号の信号形態のまま親機記憶部２７にそれぞれ送出するものである。さらに、親機記憶部２７は、チャンネル分離部２６で分離された第２チャンネルの子機音声信号をデジタル信号のまま保存するものであって、例えば、ＲＡＭ、ＥＥＰＲＯＭ等の各種の記憶媒体で構成されている。
【００６４】
このように構成された本発明の第２の実施例によるインターホンシステムにおいて、以下、具体的な動作について説明する。
【００６５】
住戸内の在室者を呼出すにあたり、住戸外（住戸玄関）に居る来訪者が図２に示す第２のインターホン子機１ｂの子機操作部１０を使用して呼出操作を行うと、この操作を検出した図３（Ｂ）に示す第２の子機制御部１６ｂの子機呼出検出回路１６０は、例えば、ＳＩＰ対応の信号フォーマットにより自子機の子機ＩＤ及び第２のインターホン親機２ｂを指定する親機ＩＤを付加した呼出信号を生成する。また、呼出検出回路１６０で生成された呼出信号は、第２の子機Ｉ／Ｆ１７ｂから汎用ネットワーク４を経由して第２のインターホン親機２ｂの第２の親機Ｉ／Ｆ２５ｂに伝送される。
【００６６】
また、第２のインターホン子機１ｂにおいて、第２の子機制御部１６ｂによれば、前述のような子機呼出検出回路１６０による呼出検出が行われると、撮像部１１を能動とする。この制御により、撮像部１１で生成された来訪者の映像信号が、図３（Ｂ）に示す子機映像処理回路１６２で例えば、エンコーダ処理や信号増幅等がなされた後、ＳＩＰ対応の信号フォーマットにより自子機の子機ＩＤ及び第２のインターホン親機２ｂを指定する親機ＩＤを付加した当該信号で、第２の子機Ｉ／Ｆ１７ｂから汎用ネットワーク４を経由して第２のインターホン親機２ｂの第２の親機Ｉ／Ｆ２５ｂに伝送される。
【００６７】
ここで、第２のインターホン親機２ｂにおいて、図４（Ｂ）に示す第２の親機制御部２４ｂの親機呼出検出回路２４１は、第２の親機Ｉ／Ｆ２５ｂを経由して受信した呼出信号に付加されている（信号伝送先の）親機ＩＤが自親機の親機ＩＤと一致するため、同様に付加されている子機ＩＤに該当する第２のインターホン子機１ｂで呼出操作を行った来訪者からの呼出しを検出し、その旨の呼出音や音声メッセージ等を親機スピーカ２３から出力させて呼出報知を行うことができるばかりでなく、表示部２１を能動とする。この制御により、第２の親機制御部２４ｂの親機映像処理回路２４２は、第２の親機Ｉ／Ｆ２５ｂを経由して受信した映像信号を例えば、デコード処理や信号増幅等して表示部２１に送出することで、来訪者の映像を表示部２１に表示させることができるばかりでなく、この表示部２１には、来訪者からの呼出しがあることを示す文字メッセージや絵データ等を表示（呼出表示）させることもできる。なお、表示部２１に表示されている映像（映像信号）は、第２の親機制御部２４ｂの制御により、リアルタイムの映像として親機記憶部２７に保存することもできる。
【００６８】
この後、前述の呼出報知（呼出表示）及び映像表示を確認した在室者が、第２のインターホン親機２ｂの親機操作部２０を使用して応答操作を行い、この操作を図４（Ｂ）に示す第２の親機制御部２４ｂの親機操作検出回路２４０が検出すると、親機マイク２２からアナログ・デジタル変換回路２４３ｂを経由して第２の親機Ｉ／Ｆ２５ａまでの信号伝送路と、第２の親機Ｉ／Ｆ２５ａからアナログ・デジタル変換回路２４３ｂを経由してチャンネル分離部２６までの信号伝送路とがそれぞれ形成されるとともに、例えば、ＳＩＰ対応の信号フォーマットにより自親機の親機ＩＤ及び第２のインターホン子機１ｂを指定する子機ＩＤを付加した応答信号が生成される。また、親機操作検出回路２４０で生成された応答信号は、前述の呼出信号と逆の信号伝送路を経由して第２のインターホン子機１ｂの第２の子機Ｉ／Ｆ１７ｂに伝送される。
【００６９】
ここで、第２のインターホン子機１ｂにおいて、図３（Ｂ）に示す第２の子機制御部１６ｂの子機応答／終話検出回路１６１によれば、第２の子機Ｉ／Ｆ１７ｂを経由して受信した応答信号に付加されている（信号伝送先の）子機ＩＤが自子機の子機ＩＤと一致するため、同様に付加されている親機ＩＤに該当する第２のインターホン親機２ｂで応答操作を行った在室者による応答操作があったことを検出し、チャンネル分配部１４及びエコーキャンセラ１５をそれぞれに能動するとともに、このチャンネル分配部１４からアナログ・デジタル変換回路１６３を経由して音声信号処理回路１６４ｂまでの信号伝送路と、エコーキャンセラ１５と音声信号処理回路１６４ｂを経由して第２の親機Ｉ／Ｆ２５ｂとの間の信号伝送路をそれぞれ形成する。
【００７０】
次に、具体的な通話動作を説明するにあたり、在室者の音声（送話音声）であって第２のインターホン親機２ｂの親機マイク２２で生成された親機音声信号は、図４（Ｂ）に示す第２の親機制御部２４ｂのアナログ・デジタル変換回路２４３ｂでアナログ／デジタル変換された後、例えば、ＳＩＰ対応の信号フォーマットにより自親機の親機ＩＤ及び第２のインターホン子機１ｂを指定する子機ＩＤを付加した当該信号で、前述の応答信号と同一の信号伝送路を経由して第２のインターホン子機１ｂの第２の子機Ｉ／Ｆ１７ｂに伝送される。
【００７１】
ここで、第２のインターホン子機１ｂにおいて、図３（Ｂ）に示す第２の子機制御部１６ｂによれば、第２の子機Ｉ／Ｆ１７ｂを経由して受信した親機音声信号に付加されている（信号伝送先の）子機ＩＤが自子機の子機ＩＤと一致するため、この親機音声信号は、音声信号処理回路１６４ｂを経由してデジタル信号の信号形態のまま、図３（Ａ）に示すエコーキャンセラ１５のキャンセラ処理回路１５１に送出される。なお、在室者による応答操作がなされ、例えば、通話が開始された直後のタイミングにおいては、通常、キャンセラ処理回路１５１で何らのエコーキャンセリング処理が行われることなく、この親機音声信号は、アナログ・デジタル変換回路１５０でデジタル／アナログ変換された後、子機スピーカ１３に送出されるため、在室者による音声（送話音声）が受話音声として子機スピーカ１３から出力される。
【００７２】
この後、来訪者の音声（送話音声）であって第２のインターホン子機１ｂの子機マイク１２で生成された子機音声信号には、前述のように子機スピーカ１３から出力された受話音声が音響帰還成分として重畳されており、チャンネル分配部１４は、このような音響帰還成分が重畳された子機音声信号をチャンネル毎で均等の第１チャンネル、第２チャンネルの子機音声信号に分配し、第１チャンネルの子機音声信号については、図３（Ａ）に示すエコーキャンセラ１５のアナログ・デジタル変換回路１５０に送出する一方、第２チャンネルの子機音声信号については、図３（Ｂ）に示す第２の子機制御部１６ｂのアナログ／デジタル変換回路１６３に送出する。
【００７３】
第２のインターホン子機１ｂにおいて、図３（Ａ）に示すエコーキャンセラ１５のアナログ・デジタル変換回路１５０は、チャンネル分配部１４で分配された第１チャンネルの子機音声信号をアナログ・デジタル変換してキャンセラ処理回路１５１に送出する。また、キャンセラ回路１５１は、アナログ・デジタル変換回路１５０でアナログ・デジタル変換された第１チャンネルの子機音声信号に重畳されている音響帰還成分である親機音声信号についてのエコーキャンセリング処理を行い、子機スピーカ１３から子機マイク１２へのハウリングの原因となる音響成分が除去された第１チャンネルの子機音声信号を、図３（Ｂ）に示す第２の子機制御部１６ｂの音声信号処理回路１６４ａに送出する。また、アナログ／デジタル変換回路１６３は、チャンネル分配部１４で分配された第２チャンネルの子機音声信号をアナログ・デジタル変換して音声信号処理回路１６４ｂに送出する。さらに、音声信号処理回路１６４ｂは、受信した第１チャンネル、第２チャンネルの子機音声信号を合成し、例えば、ＳＩＰ対応の信号フォーマットにより自子機の子機ＩＤ及び第２のインターホン親機２ｂを指定する親機ＩＤを付加した当該合成信号で、第２の子機Ｉ／Ｆ１７ｂから汎用ネットワーク４を経由して第２のインターホン親機２ｂの第２の親機Ｉ／Ｆ２５ｂに送出する。
【００７４】
第２のインターホン親機２ｂにおいて、図４（Ｂ）に示す第２の親機制御部２４ｂによれば、第２の親機Ｉ／Ｆ２５ｂを経由して受信した子機音声合成信号に付加されている（信号伝送先の）親機ＩＤが自親機の親機ＩＤと一致するため、この子機音声合成信号をデジタル信号の信号形態のまま、アナログ・デジタル変換回路２４３ｂからチャンネル分離部２６に送出する。このチャンネル分離部２６は、受信した子機音声合成信号を第１チャンネル、第２チャンネルの子機音声信号にチャンネル毎に分離し、第１チャンネルの子機音声信号については、デジタル／アナログ変換して親機スピーカ２３に送出する一方、第２チャンネルの子機音声信号については、デジタル信号のまま親機記憶部２７に送出する。したがって、第１チャンネルの子機音声信号をもとに在室者による音声（送話音声）が、第２のインターホン子機１ｂにおける子機スピーカ１３から子機マイク１２へのハウリングの原因となる音響成分が除去された受話音声として親機スピーカ２３から出力される一方、第２チャンネルの子機音声信号については、録音用の子機音声信号として高品質なデジタル信号のまま親機記憶部２７に保存される。なお、親機制御部２４ｂによれば、親機記憶部２７への保存動作を、前述のような呼出時から継続して行うこともできる。
【００７５】
また、第２のインターホン親機２ｂの親機記憶部２７に保存された第２チャンネルの子機音声信号は、第２の親機制御部２４ｂの制御によって読出され、必要に応じて親機スピーカ２３や別途の通信機器、例えば、汎用ネットワーク４に接続可能な携帯通信端末のスピーカから出力させることもできる。
【００７６】
なお、第２の実施例において、第２のインターホン子機１ｂから汎用ネットワーク４を経由して第２のインターホン親機２ｂへの映像信号の伝送は、呼出時のみならず通話時にも継続される。したがって、親機スピーカ２３からの第１チャンネルの子機音声信号の出力を確認する通話時の在室者によれば、表示部２１における映像表示も併せて確認でき、この映像信号については、親機記憶部２７に第２チャンネルの子機音声信号とともに保存することもできる。
【００７７】
以上の説明から明らかなように、本発明の第２の実施例によれば、汎用ネットワーク４を経由して接続される第２のインターホン子機１ｂ及び第２のインターホン親機２ｂ間で音声信号を送受信して通話を行うにあたって、子機マイク１２で生成される子機音声信号をチャンネル分配部１４で第１チャンネル、第２チャンネルのチャンネル毎の子機音声信号に分配し、エコーキャンセラ１５のエコーキャンセリング処理により子機スピーカ１３から子機マイク１２へのハウリングの原因となる音響成分が除去された第１チャンネルの子機音声信号とエコーキャンセリング処理を実行せず録音用で高品質な第２チャンネルの子機音声信号とを合成して第２のインターホン親機２ｂに送出することができる。また、第２のインターホン親機２ｂによれば、合成された子機音声信号をチャンネル分離部２６でチャンネル毎に分離し、エコーキャンセリング処理が実行された第１チャンネルの子機音声信号を親機スピーカ２３から出力させることができる一方、エコーキャンセリング処理を実行せず高品質で片方向の音声が過剰に抑圧（除去）されていない録音用の第２チャンネルの子機音声信号を、（デジタル音声で）親機記憶部２７に保存することができる。
【００７８】
したがって、拡声通話時において第２のインターホン親機２ｂの親機スピーカ２３から出力する音声は、第２のインターホン子機１ｂのエコーキャンセラ１５においてエコーキャンセリング処理が実行された音声を適用することができるばかりでなく、拡声通話時の音声を親機記憶部２７に保存するにあたっては、エコーキャンセリング処理を実行せず高品質な音声を適用することができる。
【００７９】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００８０】
具体的に、本発明の第１、第２の実施例においては、第１、第２のインターホン子機１ａ、１ｂから汎用ネットワーク４を経由して第１、第２のインターホン親機２ａ、２ｂに伝送する呼出信号及び映像信号を個別の当該信号として説明したが、このような信号伝送の形態に限定されるものではない。例えば、呼出時においては、同一のフレーム内に設けられる複数のスロットに呼出信号及び映像信号をそれぞれ割当てる信号フォーマットを適用することができるばかりでなく、通話時においては、同一のフレーム内に設けられる複数のスロットに音声信号及び映像信号をそれぞれ割当てる信号フォーマットを適用することができる。
【００８１】
また、本発明の第１、第２の実施例においては、第１、第２のインターホン子機１ａ、１ｂに撮像部１１を、第１、第２のインターホン親機２ａ、２ｂに表示部２１を、それぞれ備えた構成の所謂、映像撮像機能及びその表示機能を有するインターホンシステムを適用したが、この態様に限定されるものではない。例えば、映像撮像機能及びその表示機能を不備とするインターホンシステムを適用することもできる。すなわち、映像信号の伝送・転送が行われないインターホンシステムである。
【符号の説明】
【００８２】
１ａ、１ｂ……第１、第２のインターホン子機
１２……子機マイク
１３……子機スピーカ
１４……チャンネル分配部
１５……エコーキャンセラ
１５０……アナログ・デジタル変換回路
１５１……キャンセラ処理回路
１６ａ、１６ｂ……第１、第２の子機制御部
１６３……アナログ／デジタル変換回路
１６４ａ、１６４ｂ……音声信号処理回路
２ａ……第１のインターホン親機
２２……親機マイク
２３……親機スピーカ
２４ａ……第１の親機制御部
２ｂ……第２のインターホン親機
２２……親機マイク
２３……親機スピーカ
２４ｂ……第１の親機制御部
２６……チャンネル分離部
２７……親機記憶部
３……録音装置
４……汎用ネットワーク
【図１】
2015076659.tif 000003
【図２】
2015076659.tif 000004
【図３】
2015076659.tif 000005
【図４】
2015076659.tif 000006